(57)【特許請求の範囲】
【請求項１】
前面開口の食品貯蔵室内に収納された食品貯蔵容器が前記前面開口を開閉する扉と共に前後方向へ引き出し可能に支持された冷蔵室等において、
前記扉から前記食品貯蔵室内へ延びて前記食品貯蔵容器の下部を収納載置する上面開口の容器状支持体を設け、前記容器状支持体は合成樹脂又は金属の成形にてその側壁及び底壁を一体に形成したことを特徴とする冷蔵庫等の食品貯蔵装置。
【請求項２】
前面開口の食品貯蔵室内に収納された食品貯蔵容器が前記前面開口を開閉する扉と共に前後方向へ引き出し可能に支持された冷蔵室等において、
前記扉から前記食品貯蔵室内へ延びて前記食品貯蔵容器の底部を収納載置する上面開口の容器状支持体を設け、前記容器状支持体は金属の成形にてその側壁及び底壁が一体に形成され、前記容器状支持体の底壁に接する前記食品貯蔵容器の底壁を金属性としたことを特徴とする冷蔵庫等の食品貯蔵装置。
【請求項３】
前面開口の食品貯蔵室内に収納された食品貯蔵容器が前記前面開口を開閉する扉と共に前後方向へ引き出し可能に支持された冷蔵室等において、
前記扉から前記食品貯蔵室内へ延びて前記食品貯蔵容器の底部を収納載置するよう側壁及び底壁を一体に形成した上面開口の容器状支持体を設け、前記容器状支持体の側壁の一部には、前記扉を閉じた状態において前記食品貯蔵室の側壁に設けたリードスイッチのスイッチ部を作動するマグネットを設けたことを特徴とする冷蔵庫等の食品貯蔵装置。
【発明の詳細な説明】
【０００１】
【発明の属する技術分野】
本発明は、前面開口の食品貯蔵室内に収納された食品貯蔵容器が前記前面開口を開閉する扉と共に前後方向へ引き出し可能に支持された冷蔵室等の食品貯蔵装置に関する。
【０００２】
【従来の技術】
冷蔵室、冷凍室、野菜室を有し、冷却器で冷却された冷気を送風機にて循環して前記各室を冷却する冷蔵庫において、前記冷凍室或いは野菜室にはその前面開口を開閉する扉と共に前後方向へ引き出し可能に食品貯蔵容器が支持された先行技術として、例えば、特開平１０−６８５８２号がある。
【０００３】
これにおいて、引き出しドア２０、３０、４０が採用する開閉引き出し構造６００は、図１１、図１２に示され、貯蔵室の両側の壁面に埋め込んで形成される第１のガイドレール６１０と、第１のガイドレール６１０上をローラ６２１を介して移動する第２のガイドレール６２０と、第２のガイドレール６２０上をローラ６３１を介して移動する引き出しドア２０（３０、４０）を備えた支持体６３０と、第１のガイドレール６１０と第２のガイドレール６２０の分離を防止する第１のストッパ６４０と、第２のガイドレール６２０と支持体６３０の分離を防止する第２のストッパ６４１とから構成され、収納ケース２０２（３０２、４０２）が、前記支持体６３０に着脱可能に取り付けられている。
支持体６３０は左右に設けられていて、その前端部を引き出しドアに取り付け、その後端部は連結部材６５０にて連結されて、上面から見て「ロ」字状の枠体を構成しており、支持体６３０と連結部材６５０とで収納ケース２０２の縁部を支持している。
【０００４】
これと同様の先行技術の構成を詳細に図５に示す。図５において、４０は前面開口の食品貯蔵室内に収納される収納ケースであり、前記前面開口を開閉する扉４１と共に前後方向へ引き出し可能に枠体４２にその上端部のフランジ４３を支持された冷蔵室等の食品貯蔵装置である。枠体４２は、扉４１にネジにて前端部を固定された左右支持体４５と、左右支持体４５の後端部を棒状の連結部材４４にネジ結合された構成である。
【０００５】
【発明が解決しようとする課題】
上記のいずれの先行技術においても、収納ケースを支持する枠体は、左右の支持体とこの支持体の後端部を連結する連結部材の結合によって構成されているため、部品数が多くなって組み立て工数が多く、生産性に劣る。即ち、扉に枠体を組み立てる際には、扉と枠体及び冷蔵庫本体の間口と扉の平行度の調整、更には複数の引き出し扉を有する冷蔵庫にあっては、各引き出し扉間の隙間調整などに多くの時間を要し、生産性の低下要因になっている。また枠体は、左右の支持体とこの支持体の後端部を連結する連結部材の結合によって構成されているため、前者の先行技術の図１２に示されるように、ローラ６２１が脱輪しないように第１のガイドレール６１０の下端を上方へ屈曲する工程が必要となり、レールの加工も複雑になる。
【０００６】
【課題を解決するための手段】
本発明は、上記のような問題点に鑑み、前面開口の食品貯蔵室内に収納された食品貯蔵容器が前記前面開口を開閉する扉と共に前後方向へ引き出し可能に支持された冷蔵室等において、前記食品貯蔵容器の支持構造を改良して、部品数が少なく、生産性の向上が図れる食品貯蔵装置を提供する。また食品収納容器内の冷却効果の向上、及び扉の開閉検知装置の改良ができる構成を提供する。
【０００７】
このための一つの具体的な手段として、前面開口の食品貯蔵室内に収納された食品貯蔵容器が前記前面開口を開閉する扉と共に前後方向へ引き出し可能に支持された冷蔵室等において、前記扉から前記食品貯蔵室内へ延びて前記食品貯蔵容器の下部を収納載置する上面開口の容器状支持体を設け、前記容器状支持体は合成樹脂又は金属の成形にてその側壁及び底壁を一体に形成する技術手段を採用する。
【０００８】
また、前面開口の食品貯蔵室内に収納された食品貯蔵容器が前記前面開口を開閉する扉と共に前後方向へ引き出し可能に支持された冷蔵室等において、前記扉から前記食品貯蔵室内へ延びて前記食品貯蔵容器の底部を収納載置する上面開口の容器状支持体を設け、前記容器状支持体は金属の成形にてその側壁及び底壁が一体に形成され、前記容器状支持体の底壁に接する前記食品貯蔵容器の底壁を金属性とする技術手段を採用する。
【０００９】
更に、前面開口の食品貯蔵室内に収納された食品貯蔵容器が前記前面開口を開閉する扉と共に前後方向へ引き出し可能に支持された冷蔵室等において、前記扉から前記食品貯蔵室内へ延びて前記食品貯蔵容器の底部を収納載置するよう側壁及び底壁を一体に形成した上面開口の容器状支持体を設け、前記容器状支持体の側壁の一部には、前記扉を閉じた状態において前記食品貯蔵室の側壁に設けたリードスイッチのスイッチ部を作動するマグネットを設ける技術手段を採用する。
【００１０】
【００１１】
【発明の実施の形態】
次に、本発明の実施の形態について説明する。
図１乃至図４は本発明の一つの実施形態を冷蔵庫について示しており、図１は冷蔵庫の縦断側面図、図２は図１の食品貯蔵容器と扉に設けた支持体の分解斜視図、図３は食品貯蔵容器の他の実施形態を示す縦断側面図、図４は食品貯蔵容器の引き出し支持構造の縦断面図である。
【００１２】
図１乃至図４において、１は冷蔵庫本体であり、外箱３と内箱２との間に断熱材４を充填した断熱構造である。冷蔵庫本体１内には、上から冷蔵室５、野菜室６、冷凍室７が区画されて設けられ、冷蔵室５内の底部にはその上方の冷蔵室５と区画板（区画壁）８にて区画された特定低温室９が設けられ、また冷凍室７は上冷凍室１０と下冷凍室１１に区分されている。
冷蔵室５の前面開口は、冷蔵庫本体１の一側部にヒンジ装置にて横方向に回動して開閉される回動式扉１２にて閉塞される。野菜室６の前面開口は、野菜室６内に設けた左右のレール又はローラ装置によって前後方向へ引き出し可能に支持した野菜容器１３と共に前方へ引き出される引き出し式扉１４にて閉塞されている。
上冷凍室１０と下冷凍室１１はそれぞれ野菜室６と同様に、冷凍室内に設けた左右のレールに対してそれぞれ前後方向へ引き出し可能に支持した容器１５、１６と共に前方へ引き出される引き出し式扉１７、１８にて閉塞されている。
【００１３】
１９は冷凍システムの冷媒の圧縮機、２０は冷凍システムの冷媒の凝縮器、２１は冷凍システムの冷媒の蒸発器（冷却器）である。２２は蒸発器２１で冷却した冷気を冷蔵室５、野菜室６、冷凍室１０と下冷凍室１１へ循環する送風機である。特定低温室９は、特定低温室９内に設けた左右のレールに対してそれぞれ前後方向へ引き出し可能に支持した容器３３が設けられている。
【００１４】
各室の温度は、冷蔵室３が約３〜５℃、野菜室４が約３〜５℃、上冷凍室８と下冷凍室９が約―１８℃〜―２０℃である。特定低温室７は、０℃よりも高い約１℃のチルド室であったり、０℃よりも低く食品の凍結温度よりも高い約―１〜２℃の氷温室であったり、また、食品の表面に薄い氷の層が形成される程度の約―４℃のパーシャル室であったりする。このように特定低温室７は、食品を特定の温度領域内で冷却保存するためのものであり、他の室に比して厳しい温度制御が要求される。
【００１５】
本発明を実施した食品貯蔵室の一つである野菜室６について説明する。図２に示すように、２４は食品貯蔵容器の一つである野菜容器１３の下部を収納載置する容器状支持体であり、支持体２４は、側壁２５と底壁２６を有し上面が開口した容器状に合成樹脂成形又は金属板の成形によって所定形状に形成される。
支持体２４は扉１４の裏面にその前辺をネジ２３によって固定されている。支持体２４が合成樹脂の場合は、金属板の底壁２６が合成樹脂成形によって一体化された構成とすることによって、野菜容器１３の底壁への冷気伝達を良好となす。容器状支持体２４の底壁２６に冷気の通る孔を形成することによって野菜容器１３の冷却効果を向上できる。
【００１６】
食品貯蔵容器の一つである野菜容器１３は上面開口を有し、通常、合成樹脂成形された構成であるが、底部の冷却不良が生じる場合には、底壁２７と支持体２４の底壁２６との熱交換が良好になるように、金属板の底壁２７が合成樹脂成形によって一体化された構成とするか、又は図３のように、底壁２７を金属板を皿状に成形した別構成として取り外し可能に構成することもできる。
【００１７】
図２のように支持体２４は野菜容器１３の底部を収納載置する構成であるため、従来の支持枠よりも下方位置で野菜容器１３が支持されるため、扉１４を引き出した状態で野菜容器１３を取り外して掃除する場合の作業がしやすくなる。
【００１８】
図４は、冷蔵庫本体１に対する支持体２４の支持状態を示すもので、冷蔵庫本体１の内壁凹部に形成したレール２８に支持体２４の左右後部に取り付けたローラ２９が支持され、冷蔵庫本体１の左右の内壁の前側に取り付けたローラ３０によって支持体２４の底壁２７を支持しており、扉１４の引き出しによって支持体２４は引き出される。
【００１９】
支持体２４は、上記のように合成樹脂又は金属板の成形によって容器状に形成されているため、野菜容器１３の支持が確実となる。また支持体２４を容器状に形成した場合には野菜容器１３底部が支持体２４によって覆われるため、その部分が循環冷気に晒され難くなって冷却不良になりやすいが、本発明では、支持体２４が循環冷気によって冷却されることによってその蓄熱を野菜容器１３に伝達できるので、そのような問題もなくなる。
【００２０】
また、支持体２４は、上記のように合成樹脂又は金属板の成形によって容器状に形成されているため、従来のように左右支持体とこれを後部で連結部材によって連結する構成に比して、支持体自体の強度が大きく、そのために、左右への揺れが少なくなり、レールからローラが外れるおそれもなくなる。このため、レール２８も図４のように内側に上方上方への折り返しが不要となる。
【００２１】
また、支持体２４は、上記のように合成樹脂又は金属板の成形によって容器状に形成されているため、前記先行技術の支持枠体の構成に比して支持体２４の寸法精度が向上し、扉と支持枠体及び冷蔵庫本体の間口と扉の平行度の調整、更には複数の引き出し扉を有する冷蔵庫にあっては各引き出し扉間の隙間調整など、従来多くの時間を要していたことが解決でき、組立調整が効率よく行える効果が生じる。
【００２２】
本発明では、容器状支持体２４の側壁２５の一部には、扉１３を閉じた状態において食品貯蔵室（野菜室）６の側壁に設けたリードスイッチのスイッチ部（図示せず）を作動するマグネット３１を取り付ける凹部３２を設けている。これによって、扉１３の開閉をこのリードスイッチがキャッチして、扉１３が開いたとき、送風機２２の運転を停止したり、庫内灯を点灯させたり、又は他の必要な制御を行うことができる。
【００２３】
また、容器状支持体２４そのものを食品の貯蔵容器として構成することができる。この場合は、前面開口の食品貯蔵室（野菜室）６内に収納された食品貯蔵容器が容器状支持体２４そのものであり、この食品貯蔵容２４が前面開口を開閉する扉１３と共に前後方向へ引き出し可能に支持され、食品貯蔵容器２４は、扉１３から食品貯蔵室（野菜室）６内へ延びて合成樹脂又は金属の成形にてその側壁及び底壁を一体に形成した上面開口の容器である。このように構成することによって、容器状支持体とこれに載置される食品貯蔵容器とを設ける必要がなく、容器状支持体そのものを食品貯蔵容器として機能でき、部品構成も、より簡単になる。
【００２４】
上記実施形態は野菜室６について記載したが、これに限定されず、本発明は、冷凍室７の容器１５、１６について適用することができる。
また本発明は、冷蔵庫に限定されず、冷凍庫でもよく、更には、０℃よりも高い約１℃のチルド室であったり、０℃よりも低く食品の凍結温度よりも高い約―１〜２℃の氷温室であったり、また、食品の表面に薄い氷の層が形成される程度の約―４℃のパーシャル室であったりする、所謂、特定低温庫であってもよい。
即ち、本発明は、前面開口の食品貯蔵室内に収納された食品貯蔵容器が前記前面開口を開閉する扉と共に前後方向へ引き出し可能に支持された冷蔵室等において、前記扉から前記食品貯蔵室内へ延びて前記食品貯蔵容器の下部を収納載置する上面開口の容器状支持体を設け、前記容器状支持体は合成樹脂又は金属の成形にてその側壁及び底壁を一体に形成したことを特徴とする冷蔵庫等の食品貯蔵装置である。
このため、前面開口の食品貯蔵室内に収納された食品貯蔵容器が前記前面開口を開閉する扉と共に前後方向へ引き出し可能に支持された冷蔵室等において、前記食品貯蔵容器の支持構造を改良して、部品数が少なく、生産性の向上が図れる食品貯蔵装置を提供する。また食品収納容器内の冷却効果の向上が図れる。
【００２５】
また本発明は、前面開口の食品貯蔵室内に収納された食品貯蔵容器が前記前面開口を開閉する扉と共に前後方向へ引き出し可能に支持された冷蔵室等において、前記扉から前記食品貯蔵室内へ延びて前記食品貯蔵容器の底部を収納載置する上面開口の容器状支持体を設け、前記容器状支持体は金属の成形にてその側壁及び底壁が一体に形成され、前記容器状支持体の底壁に接する前記食品貯蔵容器の底壁を金属性としたことを特徴とする冷蔵庫等の食品貯蔵装置である。
このため、容器状支持体と食品収納容器との熱伝導を良好にして食品収納容器内底部の冷却効果の向上が図れる。
【００２６】
また本発明は、前面開口の食品貯蔵室内に収納された食品貯蔵容器が前記前面開口を開閉する扉と共に前後方向へ引き出し可能に支持された冷蔵室等において、前記扉から前記食品貯蔵室内へ延びて前記食品貯蔵容器の底部を収納載置するよう側壁及び底壁を一体に形成した上面開口の容器状支持体を設け、前記容器状支持体の側壁の一部には、前記扉を閉じた状態において前記食品貯蔵室の側壁に設けたリードスイッチのスイッチ部を作動するマグネットをもうけたことを特徴とする冷蔵庫等の食品貯蔵装置である。
このため、前記食品貯蔵容器の支持構造を改良して、部品数が少なく、生産性の向上が図れる食品貯蔵装置を提供できると共に扉の開閉検知装置の改良ができる構成を提供できる。
【００２７】
更にまた、前面開口の食品貯蔵室内に収納された食品貯蔵容器が前記前面開口を開閉する扉と共に前後方向へ引き出し可能に支持された冷蔵室等において、前記食品貯蔵容器は、前記扉から前記食品貯蔵室内へ延びて合成樹脂又は金属の成形にてその側壁及び底壁を一体に形成した上面開口の容器である。このように構成することによって、容器状支持体とこれに載置される食品貯蔵容器とを設ける必要がなく、容器状支持体そのものを食品貯蔵容器として機能でき、部品構成も、より簡単になる。
【００２８】
【発明の効果】
第１の発明によれば、前面開口の食品貯蔵室内に収納された食品貯蔵容器が前記前面開口を開閉する扉と共に前後方向へ引き出し可能に支持された冷蔵室等において、前記食品貯蔵容器の支持構造を改良して、部品数が少なく、生産性の向上が図れる食品貯蔵装置を提供する。また食品収納容器内の冷却効果の向上が図れる。
【００２９】
また第２の発明によると、容器状支持体と食品収納容器との熱伝導を良好にして食品収納容器内底部の冷却効果の向上が図れる。
【００３０】
また第３の発明によると、食品貯蔵容器の支持構造を改良して、部品数が少なく、生産性の向上が図れる食品貯蔵装置を提供できると共に扉の開閉検知装置の改良ができる構成を提供できる。
【００３１】
【図面の簡単な説明】
【図１】本発明の実施形態に係る冷蔵庫の縦断側面図である。
【図２】本発明の実施形態に係る図１の冷蔵庫の食品貯蔵容器と扉に設けた支持体の分解斜視図である。
【図３】本発明の実施形態に係る食品貯蔵容器の他の実施形態を示す縦断側面図である。
【図４】本発明の実施形態に係る食品貯蔵容器の引き出し支持構造の縦断面図である。
【図５】先行技術に係る冷蔵庫の食品貯蔵容器と扉に設けた支持体の分解斜視図である。
【符号の説明】
１……冷蔵庫本体
２……内箱
３……外箱
４……断熱材
５……冷蔵室
６……野菜室
７……冷凍室
８……区画壁
９……特定低温室
１０…上冷凍室
１１…下冷凍室
１２…冷蔵室扉
１３…食品貯蔵容器（野菜容器）
１４…野菜室扉
１５…冷凍室容器
１６…冷凍室容器
１７…上冷凍室扉
１８…下冷凍室扉
１９…圧縮機
２０…凝縮器
２１…冷却器
２２…送風機
２３…ネジ
２４…支持体
２５…側壁
２６…底壁
２７…食品貯蔵容器の底壁
２８…レール
２９…ローラ
３０…ローラ
３１…マグネット
３２…凹部
【図１】
0003615455.tif 000002
【図２】
0003615455.tif 000003
【図３】
0003615455.tif 000004
【図４】
0003615455.tif 000005
【図５】
0003615455.tif 000006